(57)【要約】      （修正有）【課題】機械の履歴データを閲覧すること、および／またはリアルタイムで機械を監視する。【解決手段】監視システムは、機械１０２の動作特性を表すデータを記憶するように構成されたデータベース１２４を含むデータ管理システム１２３を含む。ポータブルディスプレイアセンブリ１２８が、データ管理システムに結合され、ディスプレイアセンブリの一部から所定の距離２４１内における機械の存在を検出するように構成されたセンサを含む。ディスプレイアセンブリは通信インターフェースを含み、通信インターフェースはデータ管理システムに結合され、データを受信するように構成される。ディスプレイアセンブリはディスプレイ媒体を含み、ディスプレイ媒体は通信インターフェースに結合されて、データを表す出力をディスプレイアセンブリのユーザに提示する。【選択図】図１
2012243314.tif 000002
【特許請求の範囲】
【請求項１】
システム（１００）とともに使用する監視システム（１０１）であって、
少なくとも１つの機械（１０２）の少なくとも１つの動作特性を表すデータを記憶するように構成されたデータベース（１２４）を含むデータ管理システム（１２３）と、
前記データ管理システムに結合されたポータブルディスプレイアセンブリ（１２８）とを含み、前記ディスプレイアセンブリは、
前記ディスプレイアセンブリの一部から所定の距離（２４１）内における前記少なくとも１つの機械の存在を検出するように構成された少なくとも１つのセンサ（２４０）と、
前記少なくとも１つのセンサおよび前記データ管理システムに結合して前記データを受信する通信インターフェース（２０２）と、
前記通信インターフェースに結合されて、前記データを表す出力を前記ディスプレイアセンブリのユーザに提示し、それにより前記ユーザが前記少なくとも１つの機械（１０２）の履歴データを閲覧すること、およびリアルタイムで前記少なくとも１つの機械を監視すること、のうち少なくとも１つが可能になるディスプレイ媒体（２１８）と
を含む、監視システム。
【請求項２】
前記少なくとも１つの機械（１０２）に近接して配置され、前記データ管理システム（１２３）に結合された少なくとも１つのセンサアセンブリ（１１０）をさらに含み、前記少なくとも１つのセンサアセンブリは、前記少なくとも１つの機械の前記少なくとも１つの動作特性を検出し、前記少なくとも１つの動作特性を前記データベース（１２４）に送信するように構成される、請求項１記載の監視システム（１０１）。
【請求項３】
前記ディスプレイアセンブリ（１２８）は、前記少なくとも１つの機械（１０２）の少なくとも１つの画像をキャプチャし、それにより前記ユーザが前記少なくとも１つの画像に基づき前記少なくとも１つの機械を識別することが可能になるように構成された画像キャプチャデバイス（２１６）をさらに含む、請求項１記載の監視システム（１０１）。
【請求項４】
前記ディスプレイアセンブリ（１２８）は、前記少なくとも１つの機械（１０２）の少なくとも１つの画像をキャプチャするように構成された画像キャプチャデバイス（２１６）をさらに含み、前記出力は前記少なくとも１つの画像に重ね合わせられる、請求項１記載の監視システム（１０１）。
【請求項５】
前記少なくとも１つのセンサ（２４０）は、全地球測位システム、コンパスおよびチルトセンサのうちの少なくとも１つを含む、請求項１記載の監視システム（１０１）。
【請求項６】
前記ディスプレイアセンブリ（１２８）は前記ユーザの体に接して配置され、それにより前記ディスプレイアセンブリは前記ユーザとともに移動可能になる、請求項１記載の監視システム（１０１）。
【請求項７】
前記ディスプレイ媒体（２１８）は少なくとも１つのレンズ（３２４）および少なくとも１つのスクリーン（２２４）のうちの少なくとも１つを含む、請求項１記載の監視システム（１０１）。
【請求項８】
少なくとも１つの機械（１０２）と、
前記少なくとも１つの機械に結合された監視システム（１０１）とを含み、前記監視システムは、
前記少なくとも１つの機械の少なくとも１つの動作特性を表すデータを記憶するように構成されたデータベース（１２４）を含むデータ管理システム（１２３）と、
前記データ管理システムに結合されたポータブルディスプレイアセンブリ（１２８）とを含み、前記ディスプレイアセンブリは、
前記ディスプレイアセンブリの一部から所定の距離（２４１）内における前記少なくとも１つの機械の存在を検出するように構成された少なくとも１つのセンサ（２４０）と、
前記少なくとも１つのセンサおよび前記データ管理システムに結合して前記データを受信する通信インターフェース（２０２）と、
前記通信インターフェースに結合されて、前記データを表す出力を前記ディスプレイアセンブリのユーザに提示し、それにより前記ユーザが前記少なくとも１つの機械の履歴データを閲覧すること、およびリアルタイムで前記少なくとも１つの機械を監視すること、のうち少なくとも１つが可能になるディスプレイ媒体（２１８）と
を含む、システム（１００）。
【請求項９】
前記監視システム（１０１）は、前記少なくとも１つの機械に近接して配置され、前記データ管理システム（１２３）に結合された少なくとも１つのセンサアセンブリ（１１０）をさらに含み、前記少なくとも１つのセンサアセンブリは、前記少なくとも１つの機械の前記少なくとも１つの動作特性を検出し、前記少なくとも１つの動作特性を前記データベース（１２４）に送信するように構成される、請求項８記載のシステム（１００）。
【請求項１０】
前記ディスプレイアセンブリ（１２８）は、前記少なくとも１つの機械（１０２）の少なくとも１つの画像をキャプチャし、それにより前記ユーザが前記少なくとも１つの画像に基づき前記少なくとも１つの機械を識別することが可能になるように構成された画像キャプチャデバイス（２１６）をさらに含む、請求項８記載のシステム（１００）。
【発明の詳細な説明】
【技術分野】
【０００１】
本発明の分野は、一般には監視システムに関し、より具体的には、システムとともに使用する監視システム、およびシステム内の機械を監視する際に使用する方法に関する。
【背景技術】
【０００２】
既知の機械の動作中に、１つまたは複数の構成要素が時間の経過により損傷または摩耗することがある。たとえば、ベアリングやギアなどの構成要素が時間の経過により摩耗する。摩耗または損傷した構成要素を使用して動作を続けると、さらに他の構成要素が損傷すること、および／または構成要素が早期に故障することがある。
【０００３】
機械内の構成要素の損傷を検出するために、少なくとも一部の既知の機械の動作は、センサおよび／または監視システムで監視できる。少なくとも一部の既知のセンサシステムは、監視される機械および／または構成要素に極めて近接した所に、少なくとも一部のセンサアセンブリを配置する。かかるセンサアセンブリは、例えば、機械の構成要素の少なくとも一部および／または機械自体の近接測定を実行することができる。しかし、場所によっては、センサアセンブリが機械および／または構成要素に比較的近い場所にあるため、ユーザはセンサからデータへ容易に直接アクセスすることができないこともある。
【０００４】
かかるセンサシステムは、パーソナルコンピュータ（「ＰＣ」）などのコンピューティングデバイスからアクセスできる中央データベースを有する。機械および／またはセンサアセンブリ自体には、データのローカルディスプレイがほとんどないか、全くない。機械および／またはセンサアセンブリにデータのローカルディスプレイがある場合でも、かかるディスプレイは一般にリアルタイムデータを含むだけであり、履歴データを表示しない。かかるセンサシステムでは、各機械および／またはセンサアセンブリから任意のデータを取り出すためにＰＣを使用する必要がある。
【先行技術文献】
【特許文献】
【０００５】
【特許文献１】米国特許第７８５２３５５号明細書
【発明の概要】
【０００６】
一実施形態では、１つのシステムとともに使用する監視システムが提供される。監視システムは、少なくとも１つの機械の少なくとも１つの動作特性を表すデータを記憶するように構成されたデータベースを含むデータ管理システムを含む。ポータブルディスプレイアセンブリが、データ管理システムに結合され、ディスプレイアセンブリの一部から所定の距離内における機械の存在を検出するように構成された少なくとも１つのセンサを含む。また、ディスプレイアセンブリは通信インターフェースを含み、この通信インターフェースは、データ管理システムに結合され、データを受信するように構成される。さらに、ディスプレイアセンブリはディスプレイ媒体を含み、このディスプレイ媒体は通信インターフェースに結合されて、データを表す出力をディスプレイアセンブリのユーザに提示し、それによりユーザが機械の履歴データを閲覧すること、および／またはリアルタイムで機械を監視することが可能になる。
【０００７】
別の実施形態では、１つのシステムが提供される。このシステムは、少なくとも１つの機械および当該機械に結合された監視システムを含む。監視システムは、機械の少なくとも１つの動作特性を表すデータを記憶するように構成されたデータベースを含むデータ管理システムを含む。ポータブルディスプレイアセンブリが、データ管理システムに結合され、ディスプレイアセンブリの一部から所定の距離内における機械の存在を検出するように構成された少なくとも１つのセンサを含む。また、ディスプレイアセンブリは通信インターフェースを含み、この通信インターフェースは、データ管理システムに結合され、データを受信するように構成される。さらに、ディスプレイアセンブリはディスプレイ媒体を含み、このディスプレイ媒体は通信インターフェースに結合されて、データを表す出力をディスプレイアセンブリのユーザに提示し、それによりユーザが機械の履歴データを閲覧すること、および／またはリアルタイムで機械を監視することが可能になる。
【０００８】
さらに別の実施形態では、機械を監視する際に使用する方法が提供される。所定の距離内から少なくとも１つの機械の存在が検出される。機械の少なくとも１つの動作特性を表すデータが、データベースから受信される。さらに、データを表す出力が、ディスプレイ媒体を介してディスプレイアセンブリのユーザに提示され、それによりユーザが機械の履歴データを閲覧すること、および／またはリアルタイムで機械を監視することが可能になる。
【図面の簡単な説明】
【０００９】
【図１】例示的な発電システムのブロック図である。
【図２】図１の発電システムとともに使用できる例示的なディスプレイアセンブリのブロック図である。
【図３】図１の発電システムとともに使用できる代替的なディスプレイアセンブリの概略透視図である。
【図４】図２のディスプレイアセンブリを使用して機械を監視するために使用できる例示的な方法の流れ図である。
【発明を実施するための形態】
【００１０】
本明細書で説明する例示的なシステムおよび方法は、ユーザがパーソナルコンピュータを使用せずに機械を監視し、機械のリアルタイムデータおよび履歴データを取り出すことを可能にする監視システムを提供する。具体的には、本明細書で説明する実施形態は、少なくとも１つの機械の少なくとも１つの動作特性を表すデータを記憶するように構成されたデータベースを含むデータ管理システムを含む監視システムを提供する。ポータブルディスプレイアセンブリが、データ管理システムに結合され、ディスプレイアセンブリの一部から所定の距離内における機械の存在を検出するように構成された少なくとも１つのセンサを含む。また、ディスプレイアセンブリは通信インターフェースを含み、この通信インターフェースは、データ管理システムに結合され、データを受信するように構成される。ディスプレイアセンブリはディスプレイ媒体を含み、このディスプレイ媒体は通信インターフェースに結合されて、データを表す出力をディスプレイアセンブリのユーザに提示し、それによりユーザが機械の履歴データを閲覧すること、および／またはリアルタイムで機械を監視することが可能になる。ユーザは、データベースから履歴データを含むデータを直接取り出すことができ、機械からデータを取り出すためにパーソナルコンピュータを使用することは否定されうる。
【００１１】
図１は、限定はしないが産業設備や発電システムのようなシステム１００を示している。例示的な実施形態では、システム１００は、限定はしないが風力タービン、水力発電機、蒸気タービン、ガスタービンおよび／または圧縮器のような少なくとも１つの機械１０２を含む。例示的な実施形態では、機械１０２は、発電機のようなロード１０６に結合された駆動軸１０４を回転させる。本明細書で使用する場合、用語「結合する」は、構成要素間の直接的な機構、通信および／または電気接続に限定されず、複数の構成要素間の間接的な機構、通信および／または電気接続も含みうる点に留意されたい。また、例示的な実施形態は発電システムを含むが、本発明は発電システムに限定されず、当業者は、機械を含みうる任意のシステムとの関連で本発明を利用できることを了解しよう。
【００１２】
例示的な実施形態では、駆動軸１０４は、機械１０２内および／またはロード１０６内に入れられた１つまたは複数のベアリング（不図示）によって少なくとも部分的にサポートされる。代替または追加として、ベアリングは、ギアボックスまたはシステム１００が本明細書で説明するように機能することを可能にする任意のその他の構造など、別個のサポート構造１０８内に収容されることができる。
【００１３】
例示的な実施形態では、システム１００は、機械１０２、駆動軸１０４、ロード１０６および／またはシステム１００が本明細書で説明するように機能することを可能にする任意のその他の構成要素の少なくとも１つの動作状況を測定および／または監視する少なくとも１つセンサアセンブリ１１０を含む監視システム１０１を含む。より具体的には、例示的な実施形態では、センサアセンブリ１１０は、機械１０２とセンサアセンブリ１１０との距離１２０を測定および／または監視する際に使用する、機械１０２に極めて近接して配置された近接センサアセンブリである。さらに、例示的な実施形態では、センサアセンブリ１１０は１つまたは複数のマイクロ波信号を使用して、センサアセンブリ１１０に対する機械１０２の静的近接性および／または振動近接性のような近接性を測定する。あるいは、センサアセンブリ１１０は、システム１００のその他の構成要素を測定および／もしくは監視するために使用することができ、かつ／またはシステム１００が本明細書で説明するように機能することを可能にするその他のセンサアセンブリもしくはトランスデューサアセンブリであってよい。
【００１４】
例示的な実施形態では、センサアセンブリ１１０はシステム１００内の任意の相対的場所に配置される。また、例示的な実施形態では、通信モジュール１２２がセンサアセンブリ１１０に結合される。あるいは、通信モジュール１２２は機械１０２に結合できる。例示的な実施形態では、通信モジュール１２２は、センサアセンブリ１１０がシステム１００および／または監視システム１０１の少なくとも１つの他の構成要素と通信することを可能にする。より具体的には、監視システム１０１はまた、通信モジュール１２２を介してセンサアセンブリ１１０に結合されたデータ管理システム１２３を含む。例示的な実施形態では、データ管理システム１２３は、機械１０２の少なくとも１つの動作状況などのデータを格納するデータベース１２４を含む。
【００１５】
さらに、例示的な実施形態では、データ管理システム１２３は、ネットワーク１３４を介してディスプレイアセンブリ１２８に結合される。データ管理システム１２３は、限定はしないがデスクトップコンピュータ、ラップトップコンピュータ、その他のウェブベースの接続可能機器を含む、ネットワーク１３４にアクセスできる任意のデバイスであってよい。例示的な実施形態では、データ管理システム１２３は、無線周波（ＲＦ）、例えばＦＭラジオおよび／またはデジタルオーディオ放送、米国電気電子技術者協会（ＩＥＥＥ（登録商標））８０２．１１基準（例えば８０２．１１（ｇ）または８０２．１１（ｎ））、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷＩＭＡＸ（登録商標））基準、セルラー電話技術（例えばモバイル通信のためのグローバルスタンダード（ＧＳＭ（登録商標）））、衛星通信リンク、および／またはその他の適切な通信手段などの無線通信手段を使用してディスプレイアセンブリ１２８と通信する。ＷＩＭＡＸは、オレゴン州ビーバートンのＷｉＭａｘフォーラムの登録商標である。ＩＥＥＥは、ニューヨーク州ニューヨークの米国電気電子技術者協会の登録商標である。あるいは、データ管理システム１２３は、有線ネットワーク接続（例えばイーサネット（登録商標）または光ファイバ）を使用してディスプレイアセンブリ１２８と通信することができる。本明細書で使用する場合、用語「マイクロ波」は、信号または信号を送信および／もしくは受信する構成要素であって、周波数が約３００メガヘルツ（ＭＨｚ）から約３００ギガヘルツ（ＧＨｚ）のものを指す。
【００１６】
例示的な実施形態では、通信モジュール１２２は、センサアセンブリ１１０がデータ管理システム１２３と通信することを可能にする。より具体的には、例示的な実施形態では、通信モジュール１２２は、センサアセンブリ１１０によって検出された機械１０２の少なくとも１つの動作特性を表すデータを、センサアセンブリ１１０がデータ管理システム１２３に送信し、データベース１２４に記憶することを可能にする。例示的な実施形態では、データはセンサアセンブリ１１０に対する機械１０２の静的近接性および／または振動近接性の測定を含むことができる。
【００１７】
さらに、例示的な実施形態では、ディスプレイアセンブリ１２８は、ユーザがデータベース１２４からデータを直接取り出すことを可能にする。より具体的には、例示的な実施形態では、ディスプレイアセンブリ１２８は、データを受信して、データを表す出力をユーザに提示し、それによりユーザが履歴データを閲覧すること、および／またはリアルタイムで機械１０２を監視することが可能になる。例示的な実施形態では、ディスプレイアセンブリ１２８はユーザの体に接して配置され、その結果、ディスプレイアセンブリ１２８はユーザとともに移動可能となる。例えば、ディスプレイアセンブリ１２８をユーザが身につけ、または持つことができる。あるいは、ディスプレイアセンブリ１２８は、ユーザに対して任意のその他の場所に配置できる。
【００１８】
動作中に、例示的な実施形態では、例えば摩耗、損傷および／または振動により、駆動軸１０４のような機械１０２の構成要素は、センサアセンブリ１１０に対する相対的位置を変えることがある。例えば、振動が構成要素に対して引き起こされることや、システム１００内の動作温度の変化に伴って構成要素が膨張または収縮することがある。例示的な実施形態では、センサアセンブリ１１０は静的近接性および／もしくは振動近接性などの近接性ならびに／またはセンサアセンブリ１１０に対する機械１０２の相対的位置を測定し、かつ／または監視し、機械１０２の少なくとも１つの動作特性を表すデータをデータ管理システム１２３に送信し、データはデータベース１２４に記憶される。データをディスプレイアセンブリ１２８に送信することができ、次いでディスプレイアセンブリ１２８でデータはユーザに提示されて、ユーザが履歴データを閲覧すること、および／またはリアルタイムで機械１０２を監視することが可能になる。
【００１９】
図２は、（図１に示す）システム１００とともに使用できるディスプレイアセンブリ１２８のブロック図である。例示的な実施形態では、ディスプレイアセンブリ１２８をユーザが持つか抱え、それによりディスプレイアセンブリ１２８がユーザの体に隣接して配置され、ディスプレイアセンブリ１２８がユーザとともに移動可能になっている。より具体的には、例示的な実施形態では、ディスプレイ１２８はスマートフォンなどの手持ち式コンピューティングデバイスである。あるいは、ディスプレイ１２８は、ユーザの体に隣接して配置可能で、結果的にユーザとともに移動可能となり、ディスプレイアセンブリ１２８、（図１に示す）監視システム１０１、および／またはシステム１００が本明細書で説明するように機能することを可能にする任意のデバイスであってよい。
【００２０】
また、例示的な実施形態では、ディスプレイアセンブリ１２８は、ディスプレイアセンブリに１２８に電力を提供するバッテリー２０１を含む。例示的な実施形態では、バッテリー２０１は充電式リチウムイオンバッテリー２０１である。あるいは、バッテリー２０１は、その他のリチウムベースのバッテリーまたは任意のその他の種類のバッテリーであって、ディスプレイアセンブリ１２８および／またはシステム１００が本明細書で説明するように機能することを可能にするものであってよい。
【００２１】
例示的な実施形態では、ディスプレイアセンブリ１２８は、（図１に示す）データ管理システム１２３内の（図１に示す）データベース１２４から（図１に示す）機械１０２の少なくとも１つの動作特性を受信するように構成された通信インターフェース２０２を含む。より具体的には、データ管理システム１２３は、（図１に示す）ネットワーク１３４を介して通信インターフェース２０２に結合される。例示的な実施形態では、通信インターフェース２０２は、ＢＬＵＥＴＯＯＴＨ（登録商標）のような短距離の無線通信チャネル（不図示）に結合される。ＢＬＵＥＴＯＯＴＨ(登録商標）は、ワシントン州カークランドのＢｌｕｅｔｏｏｔｈ（登録商標）  ＳＩＧ，  Ｉｎｃ．の登録商標である。あるいは、通信インターフェース２０２は、ディスプレイアセンブリ１２８、システム１０１、および／またはシステム１００が本明細書で説明するように機能することを可能にする任意のその他の種類の通信モジュールであってよい。
【００２２】
例示的な実施形態では、ディスプレイアセンブリ１２８はまた、システムバス（不図示）を介して通信インターフェース２０２に結合されたプロセッサ２１０を含む。プロセッサ２１０はまた、システムバスを介してメモリデバイス２１４に結合される。さらに、例示的な実施形態では、ディスプレイアセンブリ１２８は画像キャプチャデバイス２１６を含み、画像キャプチャデバイス２１６はシステムバスを介してプロセッサ２１０に結合され、機械１０２および／またはシステム１００の少なくとも１つの画像をキャプチャするように構成される。例示的な実施形態では、デバイス２１６はカメラである。あるいは、デバイス２１６は、少なくとも１つの画像をキャプチャするように構成され、ディスプレイアセンブリ１２８および／またはシステム１００が本明細書で説明するように機能することを可能にする任意のその他のデバイスであってよい。
【００２３】
いくつかの実施形態では、実行可能命令がメモリデバイス２１４に記憶される。また、ディスプレイアセンブリ１２８は、プロセッサ２１０をプログラムすることによって、本明細書で説明する１つまたは複数の動作を実行するようにプログラム可能である。例えば、１つまたは複数の実行可能命令として動作を符号化し、メモリデバイス２１４内の実行可能命令を提供することによって、プロセッサ２１０をプログラムすることができる。プロセッサ２１０は、（例えばマルチコア構成に）１つまたは複数の処理ユニットを含むことができる。例示的な実施形態では、プロセッサ２１０は、プロセッサ２１０がデータベース１２４から受信するデータに基づき、少なくとも１つの出力を生成するようにプログラムされる。より具体的には、例示的な実施形態では、プロセッサ２１０はデータのグラフィカル表示および／またはテキスト表示を生成するようにプログラムされる。あるいは、プロセッサ２１０は、ディスプレイアセンブリ１２８および／またはシステム１００が本明細書で説明するように機能することを可能にする任意のその他の出力を生成するようにプログラム可能である。
【００２４】
本明細書で使用する用語場合、「プロセッサ」は一般に、システムおよびマイクロコントローラ、縮小命令セット回路（ＲＩＳＣ）、特定用途向け集積回路（ＡＳＩＣ）、プログラマブル論理回路（ＰＬＣ）、本明細書で説明する機能を実行できる任意のその他の回路またはプロセッサを含む任意のプログラマブルシステムを指す。上記の例は例示的なものにすぎず、したがって、用語「プロセッサ」の定義および／または意味を何らかの形で限定することを意図していない。
【００２５】
また、プロセッサ２１０は汎用中央処理ユニット（ＣＰＵ）、グラフィックス処理ユニット（ＧＰＵ）、マイクロコントローラ、縮小命令セット回路（ＲＩＳＣ）プロセッサ、特定用途向け集積回路（ＡＳＩＣ）、プログラマブル論理回路（ＰＬＣ）、および／または本明細書で説明する機能を実行できる任意のその他の回路もしくはプロセッサを含むが、これらに限定されない。本明細書で説明する方法は、限定はしないがストレージデバイスおよび／またはメモリデバイスを含むコンピュータ可読媒体に具現化される実行可能命令として符号化できる。かかる命令は、プロセッサ２１０によって実行されるとき、本明細書で説明する方法の少なくとも一部をプロセッサ２１０に実施させる。上記の例は例示的なものにすぎず、したがって、用語「プロセッサ」の定義および／または意味を何らかの形で限定することを意図していない。
【００２６】
メモリデバイス２１４は、実行可能命令および／またはその他のデータなどの情報を保存すること、および取り出すことを可能にする。メモリデバイス２１４は、限定はしないがダイナミックランダムアクセスメモリ（ＤＲＡＭ）、スタティックランダムアクセスメモリ（ＳＲＡＭ）、ソリッドステートディスクおよび／またはハードディスクなどの１つまたは複数のコンピュータ可読媒体を含むことができる。メモリデバイス２１４は、限定はしないが実行可能命令、構成データ、地理的データ（例えば地形データおよび／または障害物）、ユーティリティーネットワーク機器データ、および／または任意のその他の種類のデータを記憶するように構成可能である。
【００２７】
例示的な実施形態では、メモリデバイス２１４はデータベース１２４から受信したデータを記憶し、プロセッサ２１０によって生成された出力を記憶する。また、例示的な実施形態では、メモリデバイス２１４は、画像キャプチャデバイス２１６によってキャプチャされた（１つまたは複数の）画像を記憶する。メモリデバイス２１４はまた、機械１０２およびシステム１００内のその他の構成要素の数、ならびに機械１０２およびシステム１００内の構成要素の場所など、システム１００に関係するその他の情報を記憶するように構成される。また、例示的な実施形態では、メモリデバイス２１４はランダムアクセスメモリ（ＲＡＭ）を含んでよく、これは不揮発性ＲＡＭ（ＮＶＲＡＭ）、磁気ＲＡＭ（ＭＲＡＭ）、強誘電体ＲＡＭ（ＦｅＲＡＭ）、その他の形式のメモリを含むことができる。メモリデバイス２１４はまた、読み取り専用メモリ（ＲＯＭ）、フラッシュメモリ、および／または電気消去可能プログラマブル読み取り専用メモリ（ＥＥＰＲＯＭ）を含むことができる。その他の適切な磁気メモリ、光メモリおよび／または半導体メモリが、単独または他の形態のメモリとの組み合わせで、メモリデバイス２１４に含まれうる。メモリデバイス２１４はまた、着脱可能または取り外し可能メモリであってよく、またはかかるメモリを含むことができ、かかるメモリは、適切なカートリッジ、ディスク、ＣＤ−ＲＯＭ、ＤＶＤまたはＵＳＢメモリを含み、これらに限定されない。あるいは、メモリデバイス２１４はデータベースであってよい。用語「データベース」は一般に、階層型データベース、関係型データベース、フラットファイルデータベース、オブジェクト関係データベース、オブジェクト指向データベースを含むデータの集まり、コンピュータシステムに記憶された記録またはデータの任意のその他の構造化された集まりを指す。上記の例は例示的なものにすぎず、したがって、用語「データベース」の定義および／または意味を何らかの形で限定することを意図していない。データベースとしては、Ｏｒａｃｌｅ（登録商標）データベース、ＭｙＳＱＬ、ＩＢＭ（登録商標）ＤＢ２、Ｍｉｃｒｏｓｏｆｔ（登録商標）ＳＱＬサーバ、Ｓｙｂａｓｅ（登録商標）および  ＰｏｓｔｇｒｅＳＱＬなどがあるがこれらに限定されない。ただし、本明細書で説明するシステムおよび方法を可能にする任意のデータベースを使用することができる。（Ｏｒａｃｌｅは、カリフォルニア州レッドウッドショアーズのＯｒａｃｌｅ  Ｃｏｒｐｏｒａｔｉｏｎの登録商標であり、ＩＢＭはニューヨーク州アーモンクのＩｎｔｅｒｎａｔｉｏｎａｌ  Ｂｕｓｉｎｅｓｓ  Ｍａｃｈｉｎｅｓ  Ｃｏｒｐｏｒａｔｉｏｎの登録商標であり、Ｍｉｃｒｏｓｏｆｔはワシントン州レッドモンドのＭｉｃｒｏｓｏｆｔ  Ｃｏｒｐｏｒａｔｉｏｎの登録商標であり、Ｓｙｂａｓｅはカリフォルニア州ダブリンのＳｙｂａｓｅの登録商標である。）
また、ディスプレイ媒体２１８およびディスプレイアダプタ２２０はシステムバスを介してプロセッサ２１０に結合される。例示的な実施形態では、ディスプレイ媒体２１８はスクリーン２２４を含む。さらに、例示的な実施形態では、ディスプレイ媒体２１８はプロセッサ２１０によって生成された出力を、スクリーン２２４を介してユーザに提示する。より具体的には、例示的な実施形態では、ディスプレイ媒体２１８は、陰極線管（ＣＲＴ）、液晶ディスプレイ（ＬＣＤ）、有機ＬＥＤ（ＯＬＥＤ）ディスプレイ、および／または「電子インク」ディスプレイなどの視覚ディスプレイを含む。したがって、例示的な実施形態では、ユーザはスクリーン２２４で出力を見ることが可能である。
【００２８】
例示的な実施形態では、ディスプレイアセンブリ１２８はまた、システムバスを介してプロセッサ２１０に結合されたユーザインターフェース２３０を含む。ユーザインターフェース２３０は本明細書で説明する方法により使用するのに適した任意の情報を受信する。より具体的には、例示的な実施形態では、ユーザはディスプレイ媒体２１８に表示したいと思う出力を入力することができる。また、例示的な実施形態では、ユーザインターフェース２３０はキーボード２３４を含む。あるいは、ユーザは、例えばポインティングデバイス、マウス、スタイラス、タッチパッド、タッチスクリーン、ジャイロスコープ、加速度計、位置検出器を含むことができる。
【００２９】
ディスプレイアセンブリ１２８はまた、システムバスを介してプロセッサ２１０に結合された少なくとも１つのセンサ２４０を含む。例示的な実施形態では、センサ２４０は、ディスプレイアセンブリ１２８の一部から（図１に示す）所定の距離２４１内における機械１０２の存在を検出し、それによりユーザがディスプレイアセンブリ１２８および／またはユーザに対する機械１０２の場所を識別することが可能になるように構成される。例示的な実施形態では、センサ２４０は全地球測位システム、チルトセンサ、およびコンパスのうちの少なくとも１つである。
【００３０】
動作中に、例示的な実施形態では、ディスプレイアセンブリ１２８を持っているユーザは機械１０２に隣接した所、および／または具体的には距離２４１内に移動する。センサ２４０は機械１０２の存在を検出し、検出を表す信号を通信インターフェース２０２に送信する。信号はプロセッサ２１０に送信され、出力が生成されてディスプレイ媒体２１８を介して表示される。出力は、ユーザがディスプレイアセンブリ１２８および／またはユーザに対する機械１０２の場所を識別することを可能にする。
【００３１】
さらに、例示的な実施形態では、機械１０２の少なくとも１つの運用特性を表すデータが、データベース１２４からネットワーク１３４を介して通信インターフェース２０２に送信される。通信インターフェース２０２はデータをプロセッサ２１０およびメモリデバイス２１４に送信し、その結果、データは記憶されうる。プロセッサ２１０は、受信したデータに基づき少なくとも１つの出力を生成する。より具体的には、プロセッサ２１０は、データのグラフィカル表示および／またはテキスト表示を含む出力を生成する。次いでディスプレイ媒体２１８は、スクリーン２２４を介してユーザに出力を表示し、それによりユーザが機械１０２を監視することが可能になる。さらに、ユーザは、ユーザインターフェース２３０を介して履歴データをリクエストすることによって、メモリデバイス２１４および／またはデータベース１２４に保存された履歴データを取り出すことができる。プロセッサ２１０は、かかるリクエストを受信すると、プロセッサ２１０がメモリデバイス２１４および／またはデータベース１２４から受信した履歴データのグラフィカル表示および／またはテキスト表示を含む出力を生成する。履歴データの出力はディスプレイ媒体２１８に送信されてユーザ向けに表示される。
【００３２】
さらに、例示的な実施形態では、ユーザは画像キャプチャデバイス２１６を介して、機械１０２の少なくとも１つの画像をキャプチャすることができる。ユーザは、機械１０２およびシステム１００内のその他の構成要素の数、ならびに機械１０２およびシステム１００内のその他の構成要素の場所など、メモリデバイスに記憶されたシステム１００に関係する情報に基づき機械１０２を識別することが可能である。画像はまた、ディスプレイ媒体２１８を介してユーザに提示できる。例示的な実施形態では、データベース１２４から受信したデータを表す出力を、画像の上に重ね合わせることができる。
【００３３】
図３は、（図１および図２に示す）ディスプレイアセンブリ１２８の代わりに、（図１に示す）システム１００とともに使用できる代替的なディスプレイアセンブリ３００を示している。例示的な実施形態では、ディスプレイアセンブリ３００をユーザが身につけ、それによりディスプレイアセンブリ３００がユーザの体に隣接して配置され、ユーザとともに移動可能になっている。より具体的には、例示的な実施形態では、ディスプレイアセンブリ３００はユーザの顔につける１つのメガネである。あるいは、ディスプレイ３００は、ユーザの体に隣接して配置可能で、結果的にユーザとともに移動可能となり、ディスプレイアセンブリ３００、監視システム１０１およびシステム１００が本明細書で説明するように機能することを可能にする任意のデバイスであってよい。
【００３４】
また、例示的な実施形態では、ディスプレイアセンブリ３００は、ディスプレイアセンブリに３００に電力を提供するバッテリー３０１を含む。例示的な実施形態では、バッテリー３０１は充電式リチウムイオンバッテリー３０１である。あるいは、バッテリー３０１は、その他のリチウムベースのバッテリーまたは任意のその他の種類のバッテリーであって、ディスプレイアセンブリ３００が本明細書で説明するように機能することを可能にするものであってよい。
【００３５】
例示的な実施形態では、ディスプレイアセンブリ３００は、（図１に示す）データ管理システム１２３内の（図１に示す）データベース１２４から（図１に示す）機械１０２の少なくとも１つの動作特性を受信するように構成された通信インターフェース３０２を含む。より具体的には、データ管理システム１２３は、（図１に示す）ネットワーク１３４を介して通信インターフェース３０２に結合される。例示的な実施形態では、データベース１２４はデータを通信インターフェース３０２に送信する。また、例示的な実施形態では、通信インターフェース３０２は無線アンテナである。あるいは、通信インターフェース３０２は、ディスプレイアセンブリ３００および／またはシステム１００が本明細書で説明するように機能することを可能にする任意のその他の種類の通信モジュールであってよい。
【００３６】
例示的な実施形態では、ディスプレイアセンブリ３００はまた、システムバス（不図示）を介して通信インターフェース３０２に結合されたプロセッサ３１０を含む。プロセッサ３１０はまた、システムバスを介してメモリデバイス３１４に結合される。さらに、例示的な実施形態では、ディスプレイアセンブリ３００は画像キャプチャデバイス３１６を含み、画像キャプチャデバイス３１６はシステムバスを介してプロセッサ３１０に結合され、機械１０２および／またはシステム１００の少なくとも１つの画像をキャプチャするように構成される。例示的な実施形態では、デバイス３１６は赤外線カメラである。あるいは、デバイス３１６は、少なくとも１つの画像をキャプチャするように構成され、ディスプレイアセンブリ３００および／またはシステム１００が本明細書で説明するように機能することを可能にするその他のデバイスであってよい。
【００３７】
いくつかの実施形態では、実行可能命令がメモリデバイス３１４に記憶される。また、ディスプレイアセンブリ３００は、プロセッサ３１０をプログラムすることによって、本明細書で説明する１つまたは複数の動作を実行するようにプログラム可能である。例えば、１つまたは複数の実行可能命令として動作を符号化し、メモリデバイス３１４内の実行可能命令を提供することによって、プロセッサ３１０をプログラムすることができる。プロセッサ３１０は、（例えばマルチコア構成に）１つまたは複数の処理ユニットを含むことができる。例示的な実施形態では、プロセッサ３１０は、プロセッサ３１０がデータベース１２４から受信するデータに基づき、少なくとも１つの出力を生成するようにプログラムされる。より具体的には、例示的な実施形態では、プロセッサ３１０はデータのグラフィカル表示および／またはテキスト表示を生成するようにプログラムされる。あるいは、プロセッサ３１０は、ディスプレイアセンブリ３００および／またはシステム１００が本明細書で説明するように機能することを可能にする任意のその他の出力を生成するようにプログラム可能である。
【００３８】
また、プロセッサ３１０は、汎用中央処理ユニット（ＣＰＵ）、グラフィックス処理ユニット（ＧＰＵ）、マイクロコントローラ、縮小命令セット回路（ＲＩＳＣ）プロセッサ、特定用途向け集積回路（ＡＳＩＣ）、プログラマブル論理回路（ＰＬＣ）、および／または本明細書で説明する機能を実行できる任意のその他の回路もしくはプロセッサを含むが、これらに限定されない。本明細書で説明する方法は、限定はしないがストレージデバイスおよび／またはメモリデバイスを含むコンピュータ可読媒体に具現化される実行可能命令として符号化できる。かかる命令は、プロセッサ３１０によって実行されるとき、本明細書で説明する方法の少なくとも一部をプロセッサ３１０に実施させる。上記の例は例示的なものにすぎず、したがって、用語「プロセッサ」の定義および／または意味を何らかの形で限定することを意図していない。
【００３９】
メモリデバイス３１４は、実行可能命令および／またはその他のデータなどの情報を保存すること、および取り出すことを可能にする。メモリデバイス３１４は、限定はしないがダイナミックランダムアクセスメモリ（ＤＲＡＭ）、スタティックランダムアクセスメモリ（ＳＲＡＭ）、ソリッドステートディスクおよび／またはハードディスクなどの１つまたは複数のコンピュータ可読媒体を含むことができる。メモリデバイス３１４は、限定はしないが実行可能命令、構成データ、地理的データ（例えば地形データおよび／または障害物）、ユーティリティーネットワーク機器データ、および／または任意のその他の種類のデータを記憶するように構成可能である。
【００４０】
例示的な実施形態では、メモリデバイス３１４はデータベース１２４から受信したデータを記憶し、プロセッサ３１０によって生成された出力を記憶する。また、例示的な実施形態では、メモリデバイス３１４は、画像キャプチャデバイス３１６によってキャプチャされた（１つまたは複数の）画像を記憶する。メモリデバイス３１４はまた、機械１０２およびシステム１００内のその他の構成要素の数、ならびに機械１０２およびシステム１００内の構成要素の様々な場所など、システム１００に関係するその他の情報を記憶するように構成される。また、例示的な実施形態では、メモリデバイス３１４はランダムアクセスメモリ（ＲＡＭ）を含んでよく、これは不揮発性ＲＡＭ（ＮＲＡＭ）、磁気ＲＡＭ（ＭＲＡＭ）、強誘電体ＲＡＭ（ＦｅＲＡＭ）、その他の形式のメモリを含むことができる。メモリデバイス３１４はまた、読み取り専用メモリ（ＲＯＭ）、フラッシュメモリ、および／または電気消去可能プログラマブル読み取り専用メモリ（ＥＥＰＲＯＭ）を含むことができる。任意のその他の適切な磁気メモリ、光メモリおよびまたは半導体メモリが、単独または他の形態のメモリとの組み合わせで、メモリデバイス３１４に含まれうる。メモリデバイス３１４はまた、着脱可能または取り外し可能メモリであってよく、またはかかるメモリを含むことができ、かかるメモリは、適切なカートリッジ、ディスク、ＣＤ−ＲＯＭ、ＤＶＤまたはＵＳＢメモリを含み、これらに限定されない。あるいは、メモリデバイス３１４はデータベースであってよい。用語「データベース」は一般に、階層型データベース、関係型データベース、フラットファイルデータベース、オブジェクト関係データベース、オブジェクト指向データベースを含むデータの集まり、コンピュータシステムに記憶された記録またはデータのその他の構造化された集まりを指す。上記の例は例示的なものにすぎず、したがって、用語「データベース」の定義および／または意味を何らかの形で限定することを意図していない。データベースには、Ｏｒａｃｌｅ（登録商標）データベース、ＭｙＳＱＬ、ＩＢＭ（登録商標）ＤＢ２、Ｍｉｃｒｏｓｏｆｔ（登録商標）ＳＱＬサーバ、Ｓｙｂａｓｅ（登録商標）およびＰｏｓｔｇｒｅＳＱＬなどがあるがそれらに限定されない。ただし、本明細書で説明するシステムおよび方法を可能にする任意のデータベースを使用することができる。（Ｏｒａｃｌｅは、カリフォルニア州レッドウッドショアーズのＯｒａｃｌｅ  Ｃｏｒｐｏｒａｔｉｏｎの登録商標であり、ＩＢＭはニューヨーク州アーモンクのＩｎｔｅｒｎａｔｉｏｎａｌ  Ｂｕｓｉｎｅｓｓ  Ｍａｃｈｉｎｅｓ  Ｃｏｒｐｏｒａｔｉｏｎの登録商標であり、Ｍｉｃｒｏｓｏｆｔはワシントン州レッドモンドのＭｉｃｒｏｓｏｆｔ  Ｃｏｒｐｏｒａｔｉｏｎの登録商標であり、Ｓｙｂａｓｅはカリフォルニア州ダブリンのＳｙｂａｓｅの登録商標である。）
また、ディスプレイ媒体３１８およびディスプレイアダプタ３２０はシステムバスを介してプロセッサ３１０に結合される。例示的な実施形態では、ディスプレイ媒体３１８は少なくとも１つのレンズ３２４内に少なくとも１つのスクリーン３２３を含む。より具体的には、例示的な実施形態では、ディスプレイ媒体３１８は２つのレンズ３２４を含み、各レンズ３２４は１つのスクリーン３２３を含む。例示的な実施形態では、レンズ３２４は偏光レンズである。あるいは、レンズ３２４は、ディスプレイ媒体３１８が本明細書で説明するように機能することを可能にする任意の種類のレンズであってよい。また、例示的な実施形態では、ディスプレイ媒体３１８はプロセッサ３１０によって生成された出力を、少なくとも１つのレンズ３２４を介してユーザに提示する。より具体的には、例示的な実施形態では、ディスプレイ媒体３１８は、陰極線管（ＣＲＴ）、液晶ディスプレイ（ＬＣＤ）、有機ＬＥＤ（ＯＬＥＤ）ディスプレイ、および／または「電子インク」ディスプレイなどの視覚ディスプレイを含む。したがって、例示的な実施形態では、ユーザはレンズ３２４の少なくとも１つで画像を見ることが可能である。
【００４１】
例示的な実施形態では、ディスプレイアセンブリ３００はまた、システムバスを介してプロセッサ３１０に結合されたユーザインターフェース３３０を含む。ユーザインターフェース３３０は本明細書で説明する方法により使用するのに適した任意の情報を受信する。より具体的には、例示的な実施形態では、ユーザはディスプレイ媒体３１８に表示したいと思う出力を入力することができる。また、例示的な実施形態では、ユーザインターフェース３３０はタッチセンシティブパネル３３４を含む。あるいは、ユーザは、例えばキーボード、ポインティングデバイス、マウス、スタイラス、タッチパッド、タッチスクリーン、ジャイロスコープ、加速度計、位置検出器を含めることができる。
【００４２】
ディスプレイアセンブリ３００はまた、システムバスを介してプロセッサ３１０に結合された少なくとも１つのセンサ３４０を含む。例示的な実施形態では、センサ３４０は、ディスプレイアセンブリ３００から（図１に示す）距離２４１内における機械１０２の存在を検出し、それによりユーザがディスプレイアセンブリ３００および／またはユーザとの関係で機械１０２の場所を識別することが可能になるように構成される。例示的な実施形態では、センサ３４０は全地球測位システム、チルトセンサおよびコンパスのうちの少なくとも１つである。
【００４３】
動作中に、例示的な実施形態では、ディスプレイアセンブリ３００を身につけているユーザは機械１０２に隣接した所、および／またはより具体的には所定の距離２４１内で移動する。センサ３４０は機械１０２の存在を検出し、検出を表す信号を通信インターフェース３０２に送信する。信号はプロセッサ３１０に送信され、出力が生成されてディスプレイ媒体３１８を介して提示され、それによりユーザがディスプレイアセンブリ３００および／またはユーザの一部に対する機械１０２の場所を識別することが可能になる。
【００４４】
さらに、例示的な実施形態では、機械１０２の少なくとも１つの運用特性を表すデータが、データベース１２４から通信インターフェース３０２に送信される。通信インターフェース３０２はデータをプロセッサ３１０、そしてメモリデバイス３１４に送信し、その結果、データは記憶されうる。プロセッサ３１０は、受信したデータに基づき少なくとも１つの出力を生成する。より具体的には、プロセッサ３１０は、データのグラフィカル表示および／またはテキスト表示を含む出力を生成する。次いでディスプレイ媒体３１８は、レンズ３２４内の少なくとも１つのスクリーン３２３を介してユーザに出力を提示し、それによりユーザが機械１０２を監視することが可能になる。さらに、ユーザは、ユーザインターフェース３３０を介して履歴データをリクエストすることによって、メモリデバイス３１４および／またはデータベース１２４に保存された履歴データを取り出すことができる。プロセッサ３１０は、かかるリクエストを受信すると、プロセッサ３１０がメモリデバイス３１４および／またはデータベース１２４から受信した履歴データのグラフィカル表示および／またはテキスト表示を含む出力を生成する。履歴データの出力はディスプレイ媒体３１８に送信されてユーザ向けに表示される。
【００４５】
さらに、例示的な実施形態では、ユーザは画像キャプチャデバイス３１６を介して、機械１０２の少なくとも１つの画像をキャプチャすることができる。ユーザは、機械１０２およびシステム１００内のその他の構成要素の数、ならびに機械１０２およびシステム１００内の構成要素の場所など、メモリデバイス３１４に記憶されたシステム１００に関係する情報に基づき機械１０２を識別することが可能である。画像はまた、ディスプレイ媒体３１８を介してユーザに提示できる。例示的な実施形態では、センサアセンブリ１１０から受信したデータを表す出力を、画像の上に重ね合わせることができる。
【００４６】
図４は、（図１および図２に示す）ディスプレイアセンブリ１２８のようなディスプレイアセンブリを使用して機械を監視する例示的な方法４００を示す流れ図である。ディスプレイアセンブリ１２８がユーザの体に接して配置され（４０１）、それによってユーザとともに移動できるようになる。（図１に示す）少なくとも１つの機械１０２の存在が、ディスプレイアセンブリ１２８から（図１に示す）所定の距離２４１内から検出される（４０２）。方法４００はまた、（図１に示す）データベースから機械１０２の少なくとも１つの動作特性を表すデータを受信すること（４０４）を含む。（図２に示す）ディスプレイ媒体２１８は、データを表す出力をディスプレイアセンブリ１２８のユーザに提示し（４０６）、それによりユーザが履歴データを閲覧すること、および／または機械１０２を監視することが可能になる。また、例示的な実施形態では、機械１０２の少なくとも１つの画像がキャプチャされ（４０８）、ユーザが画像に基づき機械１０２を識別することが可能になる。さらに、出力を任意のキャプチャ済み画像に重ね合わせることができる（４１０）。
【００４７】
機械を監視するために使用される既知のシステムおよび方法と比較して、システムおよび方法に関する上述の実施形態は、ユーザがパーソナルコンピュータを使用せずに少なくとも１つの機械の動作特性に関係する情報を直接取り出すことを可能にする。より具体的には、本明細書で説明する実施形態は、少なくとも１つの機械の少なくとも１つの動作特性を表すデータを記憶するように構成されたデータベースを含むデータ管理システムを含む監視システムを提供する。ポータブルディスプレイアセンブリが、データ管理システムに結合され、ディスプレイアセンブリの一部から所定の距離内における機械の存在を検出するように構成された少なくとも１つのセンサを含む。また、ディスプレイアセンブリは通信インターフェースを含み、この通信インターフェースは、データ管理システムに結合され、データを受信するように構成される。さらに、ディスプレイアセンブリはディスプレイ媒体を含み、このディスプレイ媒体は通信インターフェースに結合されて、データを表す出力をディスプレイアセンブリのユーザに提示し、それによりユーザが機械の履歴データを閲覧すること、および／またはリアルタイムで機械を監視することが可能になる。したがって、ユーザはデータベースからデータを直接取り出すことが可能であり、機械からデータを取り出すためにパーソナルコンピュータを使用することは否定されうる。
【００４８】
本明細書で説明するシステムおよび方法の技術的効果は、次のうちの少なくとも１つを含む。（ａ）所定の距離内から少なくとも１つの機械の存在を検出すること、（ｂ）少なくとも１つの機械の少なくとも１つの動作特性を表すデータをデータベースから受信すること、（ｃ）データを表す出力をディスプレイ媒体を介してディスプレイアセンブリのユーザに提示し、それによりユーザが少なくとも１つの機械の履歴データを閲覧すること、およびリアルタイムで少なくとも１つの機械を監視すること、の少なくとも１つが可能になること。
【００４９】
機械を監視する際に使用するシステムおよび方法の例示的な実施形態について、上で詳述した。システムおよび方法は、本明細書で説明する特定の実施形態に限定されず、むしろ、装置の構成要素および／または方法のステップは、本明細書で説明するその他の構成要素および／またはステップから独立して別個に利用できる。例えば、システムはまた、他のシステムおよび方法と組み合わせて使用可能であり、本明細書で説明するようなシステムのみ使用した実施に限定されない。むしろ、例示的な実施形態は、多くの他のアプリケーションとの関連で実施し利用することができる。
【００５０】
本発明の様々な実施形態の具体的な特徴は、図面で示されている場合も、示されていない場合もあるが、これは便宜上のものにすぎない。本発明の原理によれば、ある図面の任意の特徴を、その他の図面の任意の特徴と組み合わせて参照および／または特許請求することができる。
【００５１】
本明細書は例を使用して、最良の形態を含む本発明を開示し、さらに、任意のデバイスまたはシステムの作成および使用、ならびに組み込まれた方法の実施を含め、当業者が本発明を実施できるようにしている。本発明の特許性のある範囲は、請求項によって定められ、当業者が想起するその他の例を含むことができる。かかるその他の例は、請求項の文言と異ならない構造要素を有する場合、または請求項の文言と実質的には異ならない同等の構造要素を含む場合、請求項の範囲内にあることが意図されている。
【符号の説明】
【００５２】
１００  システム
１０１  監視システム
１０２  機械
１０４  駆動軸
１０６  ロード
１０８  別個のサポート構造
１１０  センサアセンブリ
１２０  距離
１２２  通信モジュール
１２３  データ管理システム
１２４  データベース
１２８  ディスプレイアセンブリ
１３４  ネットワーク
２０１  バッテリー
２０２  通信インターフェース
２１０  プロセッサ
２１４  メモリデバイス
２１６  画像キャプチャデバイス
２１８  ディスプレイ媒体
２２０  ディスプレイアダプタ
２２４  スクリーン
２３０  ユーザインターフェース
２３４  キーボード
２４０  センサ
２４１  所定の距離
３００  ディスプレイアセンブリ
３０１  バッテリー
３０２  通信インターフェース
３１０  プロセッサ
３１４  メモリデバイス
３１６  画像キャプチャデバイス
３１８  ディスプレイ媒体
３２０  ディスプレイアダプタ
３２３  スクリーン
３２４  レンズ
３３０  ユーザインターフェース
３３４  パネル
３４０  センサ
４００  機械を監視する方法
４０１  ディスプレイアセンブリがユーザの体に接して配置される
４０２  少なくとも１つの機械の存在が検出される
４０４  機械の少なくとも１つの動作特性を表すデータを受信する
４０６  ディスプレイ媒体が出力を提示する
４０８  機械の少なくとも１つの画像がキャプチャされる
４１０  出力を任意のキャプチャ済み画像に重ね合わせることができる
【図１】
2012243314.tif 000003
【図２】
2012243314.tif 000004
【図３】
2012243314.tif 000005
【図４】
2012243314.tif 000006
【外国語明細書】
2012243314000001.pdf